(57)【要約】【課題】表示された絵を介してユーザとコンピュータとの間での情報の入出力を行う技術において、その表示に対するユーザの理解をより容易なものとする。【解決手段】ユーザからの入力によって指定される位置である入力位置に関する情報を取得する入力位置取得部と、前記入力によって選択される可能性のある選択候補を、選択の対象として受け付け可能な状態とする選択可能領域に含まれる位置である選択候補位置に関する情報を取得する候補位置取得部と、前記入力位置と前記選択候補位置との関係に基づいて前記入力位置に係る表示の強調度である第１の強調度、及び前記選択候補に係る表示の強調度である第２の強調度を制御する表示制御部と、を備える、制御装置が提供される。【選択図】図２
2020173709.tif 000002
【特許請求の範囲】
【請求項１】
ユーザからの入力によって指定される位置である入力位置に関する情報を取得する入力位置取得部と、
前記入力によって選択される可能性のある選択候補を、選択の対象として受け付け可能な状態とする選択可能領域に含まれる位置である選択候補位置に関する情報を取得する候補位置取得部と、
前記入力位置と前記選択候補位置との関係に基づいて前記入力位置に係る表示の強調度である第１の強調度、及び前記選択候補に係る表示の強調度である第２の強調度を制御する表示制御部と、を備える、
制御装置。
【請求項２】
前記表示制御部は、前記入力位置と前記選択候補位置とが近いほど、前記第１の強調度を低くする、
請求項１に記載の制御装置。
【請求項３】
前記表示制御部は、前記入力位置と前記選択候補位置とが近いほど、前記第２の強調度を高くする、
請求項１または請求項２に記載の制御装置。
【請求項４】
前記選択候補位置は、前記選択可能領域の中心部である、
請求項２または請求項３に記載の制御装置。
【請求項５】
前記表示制御部は、前記入力位置と前記選択候補位置との関係に基づいて、前記入力位置が、前記選択可能領域内でありかつ前記選択可能領域の端辺から規定された範囲内であると判定した場合、前記選択可能領域内でありかつ前記選択可能領域の端辺から規定された範囲内ではないと判定した場合に比べて、前記第１の強調度を高くする、
請求項１から４までのいずれか１項に記載の制御装置。
【請求項６】
前記入力位置に係る表示は、前記入力位置を示すもの、前記入力位置が含まれる範囲を示すもの、又は前記入力位置と前記選択候補位置との関係を示すものを含む、
請求項１から５までのいずれか１項に記載の制御装置。
【請求項７】
前記ユーザからの前記入力を受け付ける入力受付部と、前記入力位置に係る表示及び前記選択候補に係る表示が行われる表示部とは、互いに異なる位置に設けられる、
請求項１から６のいずれか１項に記載の制御装置。
【請求項８】
前記制御装置は、車両、航空機、又は船舶を含む移動体に搭載される、
請求項１から７のいずれか１項に記載の制御装置。
【請求項９】
ユーザからの入力によって指定される位置である入力位置に関する情報を取得することと、
前記入力によって選択される可能性のある選択候補を、選択の対象として受け付け可能な状態とする選択可能領域に含まれる位置である選択候補位置に関する情報を取得することと、
前記入力位置と前記選択候補位置との関係に基づいて前記入力位置に係る表示の強調度である第１の強調度、及び前記選択候補に係る表示の強調度である第２の強調度を制御することと、
をコンピュータに実現させるためのプログラム。
【発明の詳細な説明】
【技術分野】
【０００１】
本発明は、制御装置及びプログラムに関する。
【背景技術】
【０００２】
近年、ＧＵＩ（Ｇｒａｐｈｉｃａｌ  Ｕｓｅｒ  Ｉｎｔｅｒｆａｃｅ）による入力に関する技術が多く開発されている。例えば、特許文献１には、自動車の走行中でもより安定した操作が可能なように、操作ポインタと操作ボタンとを適切に表示させる技術が開示されている。
【先行技術文献】
【特許文献】
【０００３】
【特許文献１】特開２０１８−１０４７２号公報
【発明の概要】
【発明が解決しようとする課題】
【０００４】
しかし、特許文献１に開示されている技術等によっては、ユーザからの入力によって指定される位置である入力位置に係る表示、及び当該入力によって選択される可能性のある選択候補に係る表示を適切に行うことができない場合があった。例えば、入力位置に係る表示が行われず、選択候補に係る表示のみが行われる場合、ユーザは、入力位置が表示部（例えば、ディスプレイ等）のどこであるかを認識することができないため、所望の選択候補を適切に選択することができない場合がある。また、入力位置に係る表示が常時行われる場合、表示が煩雑となり、ユーザが不快感を覚える可能性がある。すなわち、表示された絵（図）を介してユーザとコンピュータとの間での情報の入出力を行う技術においては、従来の技術に対して、ユーザがより理解しやすい表示の技術が求められている。
【０００５】
そこで、本発明は、当該問題に鑑みてなされたものであり、本発明の目的とするところは、表示された絵を介してユーザとコンピュータとの間での情報の入出力を行う技術において、その表示に対するユーザの理解をより容易なものとすることが可能な、新規かつ改良された制御装置及びプログラムを提供することにある。
【課題を解決するための手段】
【０００６】
上記課題を解決するために、本発明のある観点によれば、ユーザからの入力によって指定される位置である入力位置に関する情報を取得する入力位置取得部と、前記入力によって選択される可能性のある選択候補を、選択の対象として受け付け可能な状態とする選択可能領域に含まれる位置である選択候補位置に関する情報を取得する候補位置取得部と、前記入力位置と前記選択候補位置との関係に基づいて前記入力位置に係る表示の強調度である第１の強調度、及び前記選択候補に係る表示の強調度である第２の強調度を制御する表示制御部と、を備える、制御装置が提供される。
【０００７】
また、前記表示制御部は、前記入力位置と前記選択候補位置とが近いほど、前記第１の強調度を低くしてもよい。
【０００８】
また、前記表示制御部は、前記入力位置と前記選択候補位置とが近いほど、前記第２の強調度を高くしてもよい。
【０００９】
また、前記選択候補位置は、前記選択可能領域の中心部であってもよい。
【００１０】
また、前記表示制御部は、前記入力位置と前記選択候補位置との関係に基づいて、前記入力位置が、前記選択可能領域内でありかつ前記選択可能領域の端辺から規定された範囲内であると判定した場合、前記選択可能領域内でありかつ前記選択可能領域の端辺から規定された範囲内ではないと判定した場合に比べて、前記第１の強調度を高くしてもよい。
【００１１】
また、前記入力位置に係る表示は、前記入力位置を示すもの、前記入力位置が含まれる範囲を示すもの、又は前記入力位置と前記選択候補位置との関係を示すものを含んでもよい。
【００１２】
また、前記ユーザからの前記入力を受け付ける入力受付部と、前記入力位置に係る表示及び前記選択候補に係る表示が行われる表示部とは、互いに異なる位置に設けられてもよい。
【００１３】
また、前記制御装置は、車両、航空機、又は船舶を含む移動体に搭載されてもよい。
【００１４】
また、上記課題を解決するために、本発明の別の観点によれば、ユーザからの入力によって指定される位置である入力位置に関する情報を取得することと、前記入力によって選択される可能性のある選択候補を、選択の対象として受け付け可能な状態とする選択可能領域に含まれる位置である選択候補位置に関する情報を取得することと、前記入力位置と前記選択候補位置との関係に基づいて前記入力位置に係る表示の強調度である第１の強調度、及び前記選択候補に係る表示の強調度である第２の強調度を制御することと、をコンピュータに実現させるためのプログラムが提供される。
【発明の効果】
【００１５】
以上説明したように本発明によれば、表示された絵を介してユーザとコンピュータとの間での情報の入出力を行う技術において、その表示に対するユーザの理解をより容易なものとすることが可能となる。
【図面の簡単な説明】
【００１６】
【図１】従来のＧＵＩにおける表示の一例を示す図である。
【図２】本発明のＧＵＩにおける表示の一例を示す図である。
【図３】本実施形態に係る制御システムの構成例を示すブロック図である。
【図４】本実施形態に係る制御装置によって行われる、表示態様の制御処理フローの一例を示すフローチャートである。
【図５】入力位置に係る表示の変形例を示す図である。
【図６】選択候補に係る表示の変形例を示す図である。
【発明を実施するための形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
＜１．発明の概要＞
まず、本発明の概要について説明する。
【００１９】
上記のとおり、近年、ＧＵＩによる入力に関する技術が多く開発されている。例えば、特許文献１には、自動車に搭載される遠隔入力システムにおいて、自動車の走行中でもより安定した操作が可能なように、操作ポインタと操作ボタンとを適切に表示させる技術が開示されている。ここで、「遠隔入力システム」とは、ユーザ（例えば、運転者等）によって入力が行われる入力部（例えば、タッチパッド等）と、入力に関する表示が行われる表示部（例えば、ディスプレイ等）とが互いに異なる位置に設けられて実現される入力システムを指している。
【００２０】
しかし、特許文献１に開示されている技術等によっては、ユーザからの入力によって指定される位置である入力位置に係る表示、及び当該入力によって選択される可能性のある選択候補に係る表示を適切に行うことができない場合があった。
【００２１】
図１を参照して、従来のＧＵＩにおける表示の一例について説明する。図１は、従来のＧＵＩにおける表示の一例を示す図である。例えば、図１に示すように、ディスプレイ等の表示部１に、ユーザからの入力によって選択される可能性のある選択候補を、選択の対象として受付可能な状態とする選択可能領域２が少なくとも１つ表示されているとする（図１の例では、「１」〜「９」と示された選択候補を、それぞれ選択の対象として受付可能な状態とする選択可能領域２ａ〜選択可能領域２ｉが表示されている）。ユーザは、入力部（例えば、タッチパッド等）を用いて入力位置３を移動させ、領域２ａ〜領域２ｉのうちの所望の一つに入力位置３を重畳させた状態で所定の入力（例えば、クリック等）を行うことで選択を確定することができる。
【００２２】
このとき、入力位置３が表示部１に表示されていないとすると、ユーザは、入力位置３が表示部１内のどこであるかを認識することができない。これによって、ユーザが、領域２ａ〜領域２ｉのうちの所望の一つに入力位置３を重畳させたとしても、選択確定のための所定の入力（例えば、クリック等）時に入力位置３が所望の領域２から外れてしまうことによって、所望の選択候補を選択することができなかったり、所望の選択候補以外の選択候補を選択してしまったりする場合がある（以降、この事象を「誤入力」と呼称する）。
【００２３】
一方、入力位置３が、表示部１に常時表示されているとすると、表示が煩雑となり、ユーザが不快感を覚える可能性がある。特に、自動車等の移動体に搭載される遠隔入力システムにおいて表示が煩雑となることは妥当ではない可能性が高い。
【００２４】
本件の発明者は、上記事情に鑑みて本発明に係る技術を創作するに至った。本発明に係る制御装置は、ユーザからの入力によって指定される位置である入力位置に関する情報を取得し、当該入力によって選択される可能性のある選択候補を、選択の対象として受け付け可能な状態とする選択可能領域に含まれる位置である選択候補位置に関する情報を取得し、入力位置と選択候補位置との関係に基づいて入力位置に係る表示の強調度である第１の強調度、及び選択候補に係る表示の強調度である第２の強調度を制御する。
【００２５】
図２を参照して、本発明をより具体的に説明する。図２は、本発明のＧＵＩにおける表示の一例を示す図である。図２のＡには、ユーザからの入力によって指定される位置である入力位置２０と、当該入力によって選択される可能性のある選択候補を、選択の対象として受け付け可能な状態とする選択可能領域１０が、表示部（ディスプレイ）に表示されている様子が示されている。そして、領域１０に含まれる位置である選択候補位置１１は、領域１０の中心部に配置されているとする（
なお、選択候補位置１１は必ずしも領域１０の中心部に限定されない。また、選択候補位置１１は表示されていないとする）。
【００２６】
ユーザは、入力部（例えば、タッチパッド等）を用いて、表示部における入力位置２０を移動させることができるところ、本発明に係る制御装置は、入力位置２０と選択候補位置１１とが近いほど、第１の強調度を低くし第２の強調度を高くする。より具体的に説明すると、図２のＡのように、入力位置２０と選択候補位置１１とが相当程度離れている場合、本発明に係る制御装置は、相当の強調度で領域１０に対応する選択候補、及び入力位置２０を表示させる。そして、図２のＢのように、入力位置２０と選択候補位置１１とが近づいた場合（図２のＢの例では、入力位置２０と選択候補位置１１とが一致している）、本発明に係る制御装置は、入力位置２０を非表示にし（換言すると、第１の強調度を低くし）、領域１０の中心部に近いほど輝度が高くなるようなグラデーションが施された領域１０を表示させる（換言すると、第２の強調度を高くする）。本発明に係る制御装置は、入力位置２０の移動に伴って、第１の強調度及び第２の強調度を連続的に（又は段階的に）変化させる。
【００２７】
上記の表示態様によって、本発明に係る制御装置は、入力位置２０に係る表示、及び選択候補に係る表示をより適切に行うことができる。より具体的には、入力位置２０が選択候補位置１１から相当程度離れており、入力位置２０が領域１０から外れているか、領域１０内であり領域１０の端辺から規定された範囲内である（換言すると、入力位置２０が領域１０から外れそうな）場合には、ユーザは、入力位置２０をより容易に認識することができる。一方、入力位置２０が選択候補位置１１から相当程度近く、入力位置２０が領域１０の中心部近傍である場合（換言すると、入力位置２０が領域１０から外れそうにない場合）には、ユーザは、選択されている選択候補をより容易に認識することができる。本発明が、移動体（例えば、自動車等）に搭載されるシステムに適用された場合、本発明に係る制御装置は、表示の煩雑さを低減させ、ユーザを移動体の操作に集中させることができるため、特に有用であると言える。
【００２８】
なお、本発明に係る表示は、図２の例に限定されない。例えば、入力位置２０に係る表示及び選択候補に係る表示の強調方法は図２の例に限定されない。また、領域１０の形状や、領域１０における選択候補位置１１は図２の例に限定されない。また、選択候補は、必ずしもボタン（又はアイコン）に限定されない。例えば、選択候補は、ラジオボタン、チェックボックス、スクロールバー、又はゲージ（連続値から所望の値を選択するために使用される部品）等、ＧＵＩにて用いられる種々の部品を含む。本発明に係る表示の変形例については後段にて詳細に説明する。
【００２９】
また、第１の強調度に係る「入力位置２０に係る表示」は、入力位置２０に関する何らかの表示であればよい。より具体的には、入力位置２０に係る表示は、図２のＡに示すように入力位置２０を示すもの（例えば、ポインタ等）であってもよい。また、入力位置２０に係る表示は、入力位置２０が含まれる範囲（領域）を示すものであってもよい。また、入力位置２０に係る表示は、入力位置２０と選択候補位置１１との関係を示すものであってもよい。例えば、入力位置２０に係る表示は、選択候補位置１１を基準としたときの入力位置２０を示すもの（例えば、選択候補位置１１から入力位置２０までの距離及び方向等）であってもよい。
【００３０】
また、第２の強調度に係る「選択候補に係る表示」は、選択候補に関する何らかの表示であればよい。より具体的には、選択候補に係る表示は、図２のＢに示すように、選択可能領域１０を示すものであってもよい（図２のＢの例では、領域１０の中心部に近いほど輝度が高くなるようなグラデーションが施されている）。また、選択候補に係る表示は、選択候補の名称を示すものであってもよい（例えば、領域１０内に含まれる選択候補の名称等）。
【００３１】
＜２．構成例＞
上記では、本発明の概要について説明した。続いて、図３を参照して、本発明の一実施形態に係る制御システムの構成例について説明する。図３は、本実施形態に係る制御システムの構成例を示すブロック図である。図３に示すように、本実施形態に係る制御システム１は、制御装置１００と、入力受付部２００と、表示部３００と、を備える。
【００３２】
（制御システム１）
制御システム１は、移動体に搭載される遠隔入力システムである（換言すると、制御装置１００、入力受付部２００、及び表示部３００は移動体に搭載される）。本実施形態に係る遠隔入力システムとは、ユーザからの入力を受け付ける受付部２００と、入力に関する表示が行われる表示部３００とが互いに異なる位置に設けられて実現される入力システムを指している。換言すると、入力受付部２００と表示部３００とは、互いに異なる位置に設けられる（又は、互いに別体の装置として形成される）。なお、制御システム１が、遠隔入力システムであることはあくまで一例であり、本発明は、遠隔入力システム以外にも適用され得る。
【００３３】
また、本実施形態に係る「移動体」とは、車両、航空機、又は船舶を含む概念である。より具体的には、移動体は、車両（例えば、自動車、バス、バイク、機関車、又は電車等）、航空機（例えば、飛行機、ヘリコプター、グライダー、又は飛行船等）、又は船舶（例えば、旅客船、貨物船、又は潜水艦等）を含む。なお、移動体は、必ずしも上記の例に限定されず、移動可能な物体であればよい。また、制御システム１が、移動体に搭載されることはあくまで一例であり、本発明は、移動体以外にも搭載され得る。本実施形態では、制御システム１が、主として自動車に搭載される場合を一例として説明する。
【００３４】
（入力受付部２００）
入力受付部２００は、ユーザからの入力を受け付ける構成である。例えば、入力受付部２００は、タッチパッド、マウス、ボタン、スイッチ等、又はこれらの組合せによって実現され得る。入力受付部２００は、自動車の車内において、例えば運転席と助手席とを隔てるセンターコンソールに配置されることで、ユーザは、アームレスト等に自身の腕を乗せた状態で入力受付部２００を用いて入力を行うことができる。なお、入力受付部２００の種類、及び入力受付部２００が設けられる位置は特に限定されない。ユーザが入力受付部２００を用いて入力を行った場合、入力受付部２００は、入力に関する情報を制御装置１００へ送信する。
【００３５】
（表示部３００）
表示部３００は、入力位置に係る表示及び選択候補に係る表示を行う構成である。表示部３００は、例えば、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置、又は投影型のディスプレイ等によって実現され得る。また、表示部３００は、例えば、自動車に搭載されるヘッドアップディスプレイ（Ｈｅａｄ−Ｕｐ  Ｄｉｓｐｌａｙ）、又はマルチインフォメーションディスプレイ（Ｍｕｌｔｉ  Ｉｎｆｏｒｍａｔｉｏｎ  Ｄｉｓｐｌａｙ）によって実現され得る。なお、表示部３００の種類、及び表示部３００が設けられる位置は特に限定されない。表示部３００は、制御装置１００から提供される表示画像に関する情報を用いて各種表示を行う。
【００３６】
（制御装置１００）
制御装置１００は、入力受付部２００からの入力に基づいて表示部３００による表示を制御する装置である。制御装置１００は、例えば、自動車に搭載されるＥＣＵ（Ｅｌｅｃｔｒｏｎｉｃ  Ｃｏｎｔｒｏｌ  Ｕｎｉｔ）等によって実現され得る。なお、制御装置１００を実現する装置は必ずしもＥＣＵに限定されない。例えば、制御装置１００は、ＥＣＵに搭載されるマイコン等によって実現されてもよい。また、制御装置１００は、自動車に搭載されない外部装置（例えば、クラウドサーバ、スマートフォン、又は他の移動体等）によって実現されてもよい。図３に示すように、制御装置１００は、制御部１１０と、通信部１２０と、記憶部１３０と、を備える。
【００３７】
（制御部１１０）
制御部１１０は、制御システム１にて行われる処理全般を統括的に制御する構成である。例えば、制御部１１０は、記憶部１３０に記憶されているプログラムやパラメータ等を用いて各種機能を実現するための処理を実行する。制御部１１０は、例えば、ＣＰＵ（Ｃｅｎｔｒａｌ  Ｐｒｏｃｅｓｓｉｎｇ  Ｕｎｉｔ）や、ＭＣＵ（Ｍｉｃｒｏ  Ｃｏｎｔｒｏｌｌｅｒ  Ｕｎｉｔ）等のプロセッサによって実現され得る。なお、制御部１１０の制御内容は特に限定されない。図３に示すように、制御部１１０は、入力位置取得部１１１と、候補位置取得部１１２と、表示制御部１１３と、を備える。
【００３８】
（入力位置取得部１１１）
入力位置取得部１１１は、ユーザからの入力によって指定される位置である入力位置に関する情報を取得する構成である。より具体的には、入力位置取得部１１１は、後段で説明する通信部１２０がユーザからの入力に関する情報を入力受付部２００から受信した場合、当該情報の中から入力位置に関する情報を取得する。入力位置に関する情報は、例えば、入力位置を示す座標（例えば、二次元直交座標等）の形式をとってもよいところ、必ずしもこれに限定されない。入力位置取得部１１１は、取得した入力位置に関する情報を表示制御部１１３に提供する。
【００３９】
（候補位置取得部１１２）
候補位置取得部１１２は、ユーザからの入力によって選択される可能性のある選択候補を、選択の対象として受け付け可能な状態とする選択可能領域に含まれる位置である選択候補位置に関する情報を取得する構成である。より具体的には、後述する表示制御部１１３は、表示部３００による表示に用いられる表示画像に関する情報を生成するところ、候補位置取得部１１２は、当該情報に基づいて選択候補位置に関する情報を取得する。選択候補位置に関する情報も、上記で説明した入力位置に関する情報と同様に、例えば、選択候補位置を示す座標（例えば、二次元直交座標等）の形式をとってもよいところ、必ずしもこれに限定されない。候補位置取得部１１２は、取得した選択候補位置に関する情報を表示制御部１１３に提供する。
【００４０】
（表示制御部１１３）
表示制御部１１３は、表示部３００による表示を制御する構成である。より具体的には、表示制御部１１３は、制御部１１０の処理結果（より具体的には、各種プログラムの実行結果）に基づいて表示部３００に表示させる内容（表示画像）を決定する。そして、表示制御部１１３は、当該決定に基づいて表示画像に関する情報を生成し、当該情報を、通信部１２０を介して表示部３００へ提供することで表示部３００による表示を実現する。
【００４１】
このとき、表示制御部１１３は、入力位置と選択候補位置との関係に基づいて入力位置に係る表示の強調度である第１の強調度、及び選択候補に係る表示の強調度である第２の強調度を制御する。より具体的には、表示制御部１１３は、図２を参照して説明したように、入力位置２０と選択候補位置１１とが近いほど、第１の強調度を低くし第２の強調度を高くする。そして、表示制御部１１３は、入力位置２０の移動に伴って第１の強調度及び第２の強調度を連続的に（又は段階的に）変化させる。
【００４２】
なお、表示制御部１１３によって制御される表示の態様は図２の例に限定されない。表示制御部１１３によって制御される表示の態様の変形例については後段にて詳細に説明する。
【００４３】
（通信部１２０）
通信部１２０は、外部の構成や装置との間で情報の送受信を行う構成である。例えば、ユーザが入力受付部２００を用いて入力を行った場合、通信部１２０は、入力に関する情報を入力受付部２００から受信する。また、表示制御部１１３によって表示部３００による表示に用いられる表示画像に関する情報が生成された場合、通信部１２０は、当該情報を表示部３００に対して送信する。なお、通信部１２０によって送受信される情報の内容は必ずしも上記の例に限定されない。また、通信部１２０による情報の送受信方式（例えば、有線通信又は無線通信等）は特に限定されない。
【００４４】
（記憶部１３０）
記憶部１３０は、各種情報を記憶する構成である。例えば、記憶部１３０は、制御部１１０や通信部１２０によって使用されるプログラムやパラメータ等を記憶する。また、記憶部１３０は、制御部１１０による処理結果や、通信部１２０によって外部装置から受信された情報等を記憶してもよい。なお、記憶部１３０が記憶する情報の内容は特に限定されない。また、記憶部１３０は、例えばＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等によって実現され得るところ、必ずしもこれらに限定されない。
【００４５】
以上、本実施形態に係る制御システム１の構成例について説明した。なお、図３を用いて説明した上記の構成はあくまで一例であり、本実施形態に係る制御システム１の構成は係る例に限定されない。例えば、制御装置１００、入力受付部２００、及び表示部３００の数は特に限定されない。また、制御装置１００は、図３に示す構成の一部を備えていなくてもよいし、図３に示していない構成を備えていてもよい。また、図３に示す制御装置１００の構成が外部装置（図示なし）に設けられ、制御装置１００は当該外部装置と通信連携することによって上記で説明した各機能を実現してもよい。
【００４６】
＜３．処理フロー例＞
上記では、本実施形態に係る制御システム１の構成例について説明した。続いて、図４を参照して、本実施形態に係る制御装置１００によって行われる、表示態様の制御の処理フロー例について説明する。図４は、本実施形態に係る制御装置１００によって行われる、表示態様の制御処理フローの一例を示すフローチャートである。
【００４７】
ステップＳ１０００では、入力位置取得部１１１が入力位置に関する情報を取得する。より具体的には、ユーザが入力受付部２００を用いて入力を行うと、通信部１２０が当該入力に関する情報を入力受付部２００から受信し、入力位置取得部１１１が、当該情報の中から入力位置に関する情報を取得する。
【００４８】
ステップＳ１００４では、候補位置取得部１１２が選択候補位置に関する情報を取得する。より具体的には、表示制御部１１３が表示部３００による表示に用いられる表示画像に関する情報を生成し、候補位置取得部１１２が、当該情報に基づいて選択候補位置に関する情報を取得する。
【００４９】
ステップＳ１００８では、表示制御部１１３が入力位置と選択候補位置との関係に基づいて第１の強調度及び第２の強調度を制御する。より具体的には、表示制御部１１３は、入力位置と選択候補位置とが近いほど、第１の強調度を低くし第２の強調度を高くする。そして、表示制御部１１３は、第１の強調度及び第２の強調度に関する情報を表示画像に関する情報に含めた上で、当該情報を、通信部１２０を介して表示部３００へ提供する。
【００５０】
ユーザが入力受付部２００を用いて入力を行う度に図４に示す処理が繰り返される（必ずしもこれに限定されない）。以上の処理によって、表示部３００による表示が制御される。なお、図４に示したフローチャートにおける各ステップは、必ずしも記載された順序に沿って時系列に処理する必要はない。すなわち、フローチャートにおける各ステップは、記載された順序と異なる順序で処理されても、並列的に処理されてもよい。
【００５１】
＜４．変形例＞
上記では、表示態様の制御の処理フロー例について説明した。続いて、表示の変形例について説明する。
【００５２】
以降では、入力位置に係る表示の変形例と、選択候補に係る表示の変形例とを順に説明していくところ、表示制御部１１３は、それぞれの変形例を組み合せて表示部３００による表示を制御することができる（もちろん、図２を参照して説明した表示が組み合わされてもよい）。なお、以降で説明する表示もあくまで一例であり、入力位置に係る表示及び選択候補に係る表示はこれらに限定されないことは言うまでもない。
【００５３】
（４．１．入力位置に係る表示の変形例）
まず、図５を参照して、入力位置に係る表示の変形例について説明する。図５は、入力位置に係る表示の変形例を示す図である。
【００５４】
図５のＡには、入力位置２０と、選択可能領域１０が表示部３００に表示されている様子が示されている。そして、領域１０に含まれる位置である選択候補位置１１は、領域１０の中心部に配置されているとする（なお、選択候補位置１１は表示されていないとする）。
【００５５】
ここで、制御装置１００の表示制御部１１３は、図５のＡに示すように、入力位置２０と選択候補位置１１との関係に基づいて、入力位置２０が、領域１０内でありかつ領域１０の端辺から規定された範囲内であると判定した場合（図５のＡの例では、入力位置２０が、端辺から規定された範囲内の領域２１に含まれると判定した場合）、領域１０内でありかつ領域１０の端辺から規定された範囲内でないと判定した場合に比べて、第１の強調度（入力位置２０に係る表示の強調度）を高くしてもよい。強調される「入力位置２０に係る表示」には、上記のとおり様々な態様があるところ、図５のＡの例では、入力位置２０に係る表示として、入力位置２０が含まれる範囲（端辺から規定された範囲内の領域２１）を示すものが用いられている。もちろん、入力位置２０に係る表示として、入力位置２０を示すもの（例えば、ポインタ等）や、入力位置２０と選択候補位置１１との関係を示すものが用いられ、強調されてもよいことは言うまでもない（換言すると、ポインタ等が強調されてもよい）。
【００５６】
これによって、入力位置２０が領域１０から外れそうな場合に、ユーザは、入力位置２０をより容易に認識することができるため、選択確定のための入力（例えば、クリック等）時に入力位置２０が所望の領域１０から外れてしまうことが防止される。換言すると、表示制御部１１３は、誤入力の発生を防止することができる。
【００５７】
図５のＢ及びＣには、入力位置２０に係る表示として、入力位置２０と選択候補位置１１との関係を示すものが用いられる場合の具体例が示されている。より具体的には、図５のＢ及びＣには、それぞれ、選択候補位置１１を基準としたときの入力位置２０を示すグラデーション表示２２及びグラデーション表示２３が示されている。グラデーション表示２２は、頂点を選択候補位置１１とし、頂点を通り底辺に直行する線と底辺との交点を入力位置２０とする二等辺三角形状を有しており、選択候補位置１１に近いほど輝度が高くなるように表示されている。グラデーション表示２３は、入力位置２０が領域１０から外れている場合に用いられるものであり、頂点を、入力位置２０及び選択候補位置１１間を結ぶ線と領域１０の端辺との交点とし、頂点を通り底辺に直行する線と底辺との交点を入力位置２０とする二等辺三角形状を有しており、選択候補位置１１に近いほど輝度が高くなるように表示されている。図５のＢ及びＣの表示態様によって、ユーザは、入力位置２０と選択候補位置１１との関係をより容易に認識することができる。
【００５８】
（４．２．選択候補に係る表示の変形例）
続いて、図６を参照して、選択候補に係る表示の変形例について説明する。
【００５９】
「選択候補に係る表示」には、上記のとおり様々な態様があるところ、図６のＡの例では、選択候補に係る表示として、選択可能領域１０を突出させて見せる立体表示１２が用いられている。より具体的には、表示制御部１１３は、入力位置２０と選択候補位置１１とが近いほど、領域１０がより突出して見えるように立体表示１２を変化させる。
【００６０】
また、図６のＢの例では、選択候補に係る表示として、領域１０内に含まれる選択候補の名称（図６のＢの例では、「１」）を突出させて見せる立体表示１３が用いられている。より具体的には、表示制御部１１３は、入力位置２０と選択候補位置１１とが近いほど、選択候補の名称がより突出して見えるように立体表示１３を変化させる。図６のＡ及びＢの表示態様によって、表示制御部１１３は、各選択候補の選択状況（選択候補が確実に選択されているか否か等）をユーザに認識させることができる。
【００６１】
また、図６のＣの例では、表示制御部１１３は、入力位置２０が領域１０から外れている場合には、領域１０を表示させず（又は表示を薄くし）、入力位置２０が領域１０内である場合には、領域１０を表示させている（又は表示を濃くしている）。図６のＣの表示態様によって、表示制御部１１３は、選択されていない選択候補をユーザに認識させにくくし、表示の煩雑さを低減させることができる。
【００６２】
＜５．むすび＞
以上で説明してきたように、制御装置１００は、ユーザからの入力によって指定される位置である入力位置に関する情報を取得し、当該入力によって選択される可能性のある選択候補を、選択の対象として受け付け可能な状態とする選択可能領域に含まれる位置である選択候補位置に関する情報を取得し、入力位置と選択候補位置との関係に基づいて入力位置に係る表示の強調度である第１の強調度、及び選択候補に係る表示の強調度である第２の強調度を制御する。
【００６３】
これによって、制御装置１００は、入力位置に係る表示、及び選択候補に係る表示をより適切に行うことができる。より具体的には、入力位置が選択候補位置から相当程度離れており、入力位置が領域から外れているか、領域内であり領域の端辺から規定された範囲内である（換言すると、入力位置が領域から外れそうな）場合には、ユーザは、入力位置をより容易に認識することができる。一方、入力位置が選択候補位置から相当程度近く、入力位置が領域の中心部近傍である場合（換言すると、入力位置が領域から外れそうにない場合）には、ユーザは、選択されている選択候補をより容易に認識することができる。本発明が、移動体（例えば、自動車等）に搭載されるシステムに適用された場合、制御装置１００は、表示の煩雑さを低減させ、ユーザを移動体の操作に集中させることができるため、特に有用であると言える。
【００６４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６５】
１  制御システム、１０  選択可能領域、１１  選択候補位置（選択可能領域に含まれる位置）、２０  入力位置、１００  制御装置、１１０  制御部、１１１  入力位置取得部、１１２  候補位置取得部、１１３  表示制御部、１２０  通信部、１３０  記憶部、２００  入力受付部、３００  表示部
【図１】
2020173709.tif 000003
【図２】
2020173709.tif 000004
【図３】
2020173709.tif 000005
【図４】
2020173709.tif 000006
【図５】
2020173709.tif 000007
【図６】
2020173709.tif 000008